(57)【要約】【課題】            収納ユニットが昇降中に左右へ揺れるのを防ぐことができる昇降式天井裏収納装置を提供する。【解決手段】        天井裏に配設された巻取装置１０により紐状部材２１，２２を巻き取ったり繰り出したりすることで、該紐状部材２１，２２に吊持されている収納ユニット３０を昇降するようにした昇降式天井裏収納装置において、前記収納ユニット３０の下端側を前記紐状部材２１，２２により吊持するとともに、前記収納ユニット３０の上端側と前記天井裏との間に、前記収納ユニット３０を上下方向へ案内するガイド装置４０を設けた。【選択図】          図１
2009079358.tif 000002
【特許請求の範囲】
【請求項１】
天井裏に配設された巻取装置により紐状部材を巻き取ったり繰り出したりすることで、該紐状部材に吊持されている収納ユニットを昇降するようにした昇降式天井裏収納装置において、
前記収納ユニットの下端側を前記紐状部材により吊持するとともに、前記収納ユニットの上端側と前記天井裏との間に、前記収納ユニットを上下方向へ案内するガイド装置を設けたことを特徴とする昇降式天井裏収納装置。
【請求項２】
前記収納ユニットの下端側に回転自在に滑車部材を支持し、
前記紐状部材は、その基端側が前記巻取装置の巻取軸に巻かれるとともに、その先端側が天井裏側の不動部位に止着され、これら基端側と先端側との間の部分を前記滑車部材に掛け巻いて前記滑車部材を吊持していることを特徴とする請求項１記載の昇降式天井裏収納装置。
【請求項３】
前記滑車部材が前記収納ユニットの下端側に、略水平方向へ間隔を置いて複数設けられ、前記紐状部材は、前記基端側と前記先端側との間の部分を、前記複数の滑車部材にわたらせてこれら複数の滑車部材を吊持していることを特徴とする請求項２記載の昇降式天井裏収納装置。
【請求項４】
前記紐状部材と、この紐状部材に吊持される前記滑車部材とが、複数組設けられ、これら複数組の内の複数の前記紐状部材を、単一の前記巻取軸によって巻き取るようにしたことを特徴とする請求項２又は３記載の昇降式天井裏収納装置。
【請求項５】
前記ガイド装置は、前記収納ユニットの上端側と前記天井裏との内の一方に対し上下方向へわたって固定されたガイドレールと、その他方に設けられるとともに前記ガイドレールに導かれて移動可能な移動体とを具備してなり、
前記移動体は、前記ガイドレールに対し、上下方向へ移動可能であって且つ水平方向へ移動不能となるように嵌め合わせられていることを特徴とする請求項１乃至４何れか１項記載の昇降式天井裏収納装置。
【発明の詳細な説明】
【技術分野】
【０００１】
本発明は、天井裏と天井下の間で収納ユニットを昇降させるようにした昇降式天井裏収納装置に関し、特に薄型テレビやプロジェクタスクリーン等を含むディスプレイ装置（画像表示装置）を昇降させるのに好適な昇降式天井裏収納装置に関するものである。
【背景技術】
【０００２】
従来、この種の技術には、例えば特許文献１に記載された発明のように、収納ユニット（収納庫２）を複数の紐状部材（帯ベルト７）により吊り下げ、これら紐状部材を天井側の巻きつけ軸（５）によって巻き取ったり繰り出したりすることで、前記収納ユニットを天井裏と天井下の間で昇降させるようにした装置がある。
【０００３】
しかしながら、上記従来技術によれば、可撓性を有する紐状部材により上記収納ユニットを吊り下げる構造であるため、昇降時の振動や、空調機の風等によって、吊り下げられた収納ユニットが前後や左右など水平方向へ揺れる場合がある。
特に、前記収納ユニットに、薄型テレビやプロジェクタスクリーン等のディスプレイ装置を載置し、このディスプレイ装置を画像表示状態のまま昇降させようとした場合には、表示中の画像が左右に揺れてしまい、好ましくない。
また、天井裏へ収納するために上昇中の収納ユニットが、水平方向に揺れて天井板に当接してしまうおそれもある。
【特許文献１】特開２００７−７３５６号公報
【発明の開示】
【発明が解決しようとする課題】
【０００４】
本発明は上記従来事情に鑑みてなされたものであり、その課題とする処は、収納ユニットが昇降中に水平方向へ揺れるのを防ぐことができる昇降式天井裏収納装置を提供することにある。
【課題を解決するための手段】
【０００５】
上記課題を解決するために本発明に係る技術的手段は、天井裏に配設された巻取装置により紐状部材を巻き取ったり繰り出したりすることで、該紐状部材に吊持されている収納ユニットを昇降するようにした昇降式天井裏収納装置において、
前記収納ユニットの下端側を前記紐状部材により吊持するとともに、前記収納ユニットの上端側と前記天井裏との間に、前記収納ユニットを上下方向へ案内するガイド装置を設けたことを特徴とする。
【０００６】
更なる技術的手段によれば、前記収納ユニットの下端側に回転自在に滑車部材を支持し、前記紐状部材は、その基端側が前記巻取装置の巻取軸に巻かれるとともに、その先端側が天井裏側の不動部位に止着され、これら基端側と先端側との間の部分を前記滑車部材に掛け巻いて前記滑車部材を吊持していることを特徴とする。
【０００７】
更なる技術的手段によれば、前記滑車部材が前記収納ユニットの下端側に、略水平方向へ間隔を置いて複数設けられ、前記紐状部材は、前記基端側と前記先端側との間の部分を、前記複数の滑車部材にわたらせてこれら複数の滑車部材を吊持していることを特徴とする。
【０００８】
更なる技術的手段によれば、前記紐状部材と、この紐状部材に吊持される前記滑車部材とが、複数組設けられ、これら複数組の内の複数の前記紐状部材を、単一の前記巻取軸によって巻き取るようにしたことを特徴とする。
【０００９】
更なる技術的手段によれば、前記ガイド装置は、前記収納ユニットの上端側と前記天井裏との内の一方に対し上下方向へわたって固定されたガイドレールと、その他方に設けられるとともに前記ガイドレールに導かれて移動可能な移動体とを具備してなり、前記移動体は、前記ガイドレールに対し、上下方向へ移動可能であって且つ水平方向へ移動不能となるように嵌め合わせられていることを特徴とする。
【発明の効果】
【００１０】
本発明は、以上説明したように構成されているので、以下に記載されるような作用効果を奏する。
収納ユニットの下端側が紐状部材により吊持され、同収納ユニットの上端側がガイド装置によって上下方向へ案内される構造としているため、収納ユニットが昇降中に水平方向へ揺れるのを防ぐことができる。
更に、収納ユニットを天井裏に収納する際には、収納ユニットが、その上端側と天井裏との間に配設されたガイド装置により案内されるため、上昇中の収納ユニットが水平方向へ揺れて天井板に当接してしまうのを防ぐことができる。
【発明を実施するための最良の形態】
【００１１】
以下、本発明の実施の形態を図面に基づいて説明する。
本発明に係る昇降式天井裏収納装置は昇降対象物を限定するものでないが、本実施の形態の一例では、特に好ましい態様として、薄型テレビやプロジェクタスクリーン等のディスプレイ装置昇降用の昇降式天井裏収納装置について説明する。
【００１２】
この昇降式天井裏収納装置１は、天井裏に配設された巻取装置１０と、該巻取装置により巻き取られたり繰り出されたりする複数の紐状部材２１，２２と、ここれら紐状部材２１，２２に吊持される収納ユニット３０と、該収納ユニット３０の上端側と天井裏との間に設けられて収納ユニット３０を上下方向へ案内するガイド装置４０とを具備している（図１〜３参照）。
【００１３】
巻取装置１０は、電動駆動源１１や、該電動駆動源１１により駆動回転する巻取軸１２などから構成される。
電動駆動源１１は、直流または交流の電動機であり、図示しない制御回路から電力を供給されて、出力軸を双方向へ回転させる。また、この電動駆動源１１には、前記制御回路からの信号に応じて前記出力軸を拘束したり解放したりするブレーキ装置が設けられる。
この電動駆動源１１は、天井裏内の天面ａ等の不動部位に対し、ブラケット等を介して支持されている。
この電動駆動源１１の回転力は、例えばチェーンとスプロケットや複数の歯車等の動力伝達手段を介して、巻取軸１２に伝達されるようになっている。
【００１４】
巻取軸１２は、略水平方向へわたる長尺状の軸本体１２ａと、該軸本体１２ａに対し一体的に回転するように固定された複数の巻取体１２ｂ１，１２ｂ２とを具備し、軸受ブラケット１２ｃ，１２ｃによって支持されている。
【００１５】
軸本体１２ａは、後述する収納ユニット３０の横幅方向の略全長にわたるように、略水平に配設され、その一端側と他端側とをそれぞれ軸受ブラケット１２ｃに挿通させている。
また、巻取体１２ｂ１，１２ｂ２は、それぞれ軸本体１２ａの一端側と他端側に略同軸状に固定されている。そして、一方の巻取体１２ｂ１の外周面には、紐状部材２１の一端側が止着され、他方の巻取体１２ｂ２の外周面には、他の紐状部材２２の一端側が止着されている。
軸受ブラケット１２ｃは、例えばボールベアリング等の軸受装置によって、軸本体１２ａを回転自在に支持しており、天面ａ等の不動部位に対し固定されている。
【００１６】
紐状部材２１と紐状部材２２の各々は、適切な強度を有する可撓性の長尺状部材であればよく、本実施の形態の好ましい一例によれば、金属製ワイヤーが用いられている。
【００１７】
一方の紐状部材２１は、特に図３によく示されるように、その基端側が巻取装置１０の巻取軸１２における一方の巻取体１２ｂ１に止着されて巻かれている。
そして、この紐状部材２１の先端側は、前記巻取体１２ｂ１外周面から手前方向へ延設され、滑車部材２１ａに掛け巻かれて下方へ導かれる。前記滑車部材２１ａは、不動部位である天面ａに対し回動自在に支持された滑車である。
そして、紐状部材２１の先端側は、後述する収納ユニット３０下端側における手前側の複数（図示例によれば二つ）の滑車部材３１，３２間に掛けわたされて、略水平方向へ導かれた後、上方へ導かれて止着具２１ｂに止着される。
【００１８】
したがって、一方の紐状部材２１における滑車部材２１ａと止着具２１ｂの間の部分が、前記滑車部材３１，３２を介して、収納ユニット３０の下端側を吊持することになる。
前記止着具２１ｂは、例えばアイボルトやＵ字状ボルト等であり、紐状部材２１の先端部を止着するとともに、不動部位である天面ａに固定されている。
【００１９】
略同様に、他方の紐状部材２２は、その基端側が巻取装置１０の巻取軸１２における他方の巻取体１２ｂ２に止着されて巻かれている。
そして、この紐状部材２１の先端側は、前記巻取体１２ｂ２外周面から手前方向へ延設され、滑車部材２２ａに掛け巻かれて下方へ導かれる。前記滑車部材２２ａは、不動部位である天面ａに対し回動自在に支持された滑車である。
そして、紐状部材２２の先端側は、後述する収納ユニット３０下端側における奥側の複数（図示例によれば二つ）の滑車部材３３，３４間に掛けわたされて、略水平方向へ導かれた後、上方へ導かれて止着具２２ｂに止着される。
【００２０】
したがって、他方の紐状部材２２における滑車部材２２ａと止着具２２ｂの間の部分が、前記滑車部材３３，３４を介して、収納ユニット３０の下端側を吊持することになる。
前記止着具２２ｂは、上記止着具２１ｂ同様の部材であり、紐状部材２２の先端部を止着するとともに、不動部位である天面ａに固定されている。
【００２１】
なお、天面ａ側の滑車部材２１ａ，２２ａおよび止着具２１ｂ，２２ｂ、収納ユニット３０側の滑車部材３１，３２，３３，３４の各々は、二つの紐状部材２１，２２が互いに干渉し合うことのない経路を通るように、適宜に配置されている。
【００２２】
また、収納ユニット３０は、例えば断面略Ｌ字状の形鋼材等、剛性を有する棒状部材を略直方体の枠状に構成してなり、その下端部の手前側には、上記滑車部材３１，３２が回動自在に支持され、下端部の奥側には、上記滑車部材３３，３４が回動自在に支持されている。
また、この収納ユニット３０の上端部の四角の各々には、前記棒状部材からなる上方向きの突起３５（図１参照）が設けられる。この突起３５には、後述するガイド装置４０の移動体４１が支持される。
この突起３５は、収納ユニット３０が天井板ｂの下方へ露出されて静止した状態で、天井板ｂよりも上方へ位置するように設けられることで、収納ユニット３０の左右方向への揺れを、効果的に防いでいる。
そして、この収納ユニット３０内には、収納物の一例であるディスプレイ装置ｃが固定される。
【００２３】
ガイド装置４０は、収納ユニット３０における前記各突起３５に設けられた移動体４１と、この移動体４１を上下方向へ案内するガイドレール４２とから構成される。
【００２４】
移動体４１は、図１及び図２に示す一例によれば、複数のガイドローラ４１ａ，４１ａ，４１ｂによって構成される。
複数のガイドローラ４１ａ，４１ａ，４１ｂの内、その一部のガイドローラ４１ａ，４１ａは、回転軸を収納ユニット３０正面の左右方向へ向けるようにして支持される。そして、他の一部のガイドローラ４１ｂは、回転軸を前記ガイドローラ４１ａ，４１ａに対し交差する方向へ向けて支持される。
【００２５】
また、ガイドレール４２は、前記一部のガイドローラ４１ａ，４１ａの外周面に当接するとともに、前記他の一部のガイドローラ４１ｂの外周面にも当接する略断面枠状に形成される。
そして、このガイドレール４２は、天井裏内の天面ａと天井板ｂとの間にわたるようにして略垂直状に固定されている。
このガイドレール４２は、収納ユニット３０における各突起３５に支持された移動体４１に対応して配置される。すなわち、図示例では、収納ユニット３０上端の四角に対応して四つ設けられる。
【００２６】
次に、上記構成の昇降式天井裏収納装置１について、その特徴的な作用効果を詳細に説明する。
収納ユニット３０が天井裏空間Ｓに収納された状態（図示せず）において、図示しない制御回路からの降下信号があると、電動駆動源１１の出力軸が拘束状態から解放され、該出力軸および巻取軸１２が、紐状部材２１，２２を繰り出す方向へ回転する。
なお、収納ユニット３０の降下速度は、巻取軸１２に対し回転抵抗を付加する構造（例えば、巻取軸１２を巻き取り方向へ付勢するように設けられたコイルスプリング等）などによって、適宜な速度に調整されている。
【００２７】
したがって、収納ユニット３０は、紐状部材２１，２２が繰り出されるのに伴って、徐々に下降してゆき、図１に示すように、天井板ｂの下方へ収納ユニット３０及びディスプレイ装置ｃが吊り下げられた状態となる。
また、図示しない制御回路からの上昇信号があった際には、電動駆動源１１の出力軸及び巻取軸１２が前記と逆の方向へ回転することで、紐状部材２１，２２が巻取体１２ｂ１，１２ｂ２に巻き取られる。したがって、収納ユニット３０は、徐々に上昇し、天井裏空間Ｓに収納された状態となる。
なお、収納ユニット３０は、図示しない上限・下限のリミットスイッチからの信号に基づく制御により、天井裏側の収納位置と所望の使用位置とで、自動的に停止する。
【００２８】
前記昇降の際、収納ユニット３０は、下端側が紐状部材２１，２２によって吊持されるとともに、上端側の四角が、それぞれガイド装置４０によりガイドされるため、略水平方向への揺れが抑制されることになる。
ひいては、例えばディスプレイ装置ｃを表示状態のままで昇降させたとしても、画像の左右への揺れが少なく、視覚的に好ましい。
【００２９】
なお、上記実施の形態によれば、天井板ｂの直ぐ下側に収納ユニット３０が吊持されるようにしたが、各突起３５を更に上方へ延設することで、天井板ｂから下方へ離れた位置に収納ユニット３０が吊持されるようにすることも可能である。
【００３０】
また、上記実施の形態によれば、特に好ましい態様として、同一の巻取軸１２によって複数の紐状部材２１，２２を巻き取る構成としたが、他例としては、紐状部材２１，２２がそれぞれ別々の巻取軸に巻き取られる構成とすることも可能である。
【００３１】
また、ガイド装置４０は、移動体４１をガイドレール４２に対し上下方向へ移動可能であって且つ水平方向へ移動不能となるように嵌め合わせた構成であればよく、他例としては、図４に示すガイド装置４０’に置換することが可能である。
図４に示すガイド装置４０’は、断面略凹状であって略ブロック状の移動体４１’と、該移動体４１’内面に対し凹凸状に嵌り合って、該移動体４１’を上下方向へのみ案内するガイドレール４２’とから構成される。このガイド装置４０’は、移動体４１‘がガイドレール４２’に案内される構造とすればよいが、好ましい一例としては、移動体４１’内にガイドレール４２’の側面に沿って転動するベアリング部材（図示せず）を具備した構造とする。
【００３２】
また、上記実施の形態によれば、移動体４１（又は４１’）を収納ユニット３０側に設け、ガイドレール４２（又はガイドレール４２’）を天井裏側に設ける構成としたが、他例としては、移動体４１（又は４１’）を天井裏側に設け、ガイドレール４２（又はガイドレール４２’）を収納ユニット３０側に設けることも可能である。
【００３３】
また、上記実施の形態によれば、巻取体１２ｂ１，１２ｂ２から繰り出される紐状部材２１，２２を、それぞれ滑車部材２１ａ，２２ａを介して下方へ導くようにしたが、他例としては、滑車部材２１ａ（及び／又は２２ａ）を省き、紐状部材２１（及び／又は２２）を巻取体１２ｂ１（及び／又は１２ｂ２）から直接下方へ繰り出すようにしてもよい。
【００３４】
また、上記実施の形態によれば、収納ユニット３０の下端側に設けられる滑車部材３１，３２（又は３３，３４）を紐状部材２１（又は２２）によって吊持する構成としたが、他例としては、図５に示すように、紐状部材２３ａ，２３ｂ，２４ａ，２４ｂの各先端側を直接収納ユニット３０の下端側に止着した態様としてもよい。
【００３５】
より詳細に説明すれば、図５に示す昇降式天井裏収納装置２は、上記昇降式天井裏収納装置１に対し、巻取軸１２を巻取軸１２’に置換し、二つの紐状部材２１，２２を四つの紐状部材２３ａ，２３ｂ，２４ａ，２４ｂに置換した構成とされる。
【００３６】
巻取軸１２’は、軸本体１２ａの左端側に、二つの巻取体１２ｂ１，１２ｂ１を固定するとともに、同軸本体１２ａの右端側にも、二つの巻取体１２ｂ２，１２ｂ２を固定している。
そして、前記左端側の巻取体１２ｂ１，１２ｂ１には、それぞれ紐状部材２３ａ，２４ａが止着される。
【００３７】
紐状部材２３ａ，２４ａは、それぞれ不動部位である天面ａに支持された滑車部材２１ａに掛けまわされて下方へ導かれる。そして、図示例によれば、一方の紐状部材２３ａの先端部が、収納ユニット３０の下端側において右端側の手前側に止着され、他方の紐状部材２４ａの先端部が、同収納ユニット３０の下端側において右端側の奥側に止着される。
【００３８】
同様にして、紐状部材２３ｂ，２４ｂは、それぞれ不動部位である天面ａに支持された滑車部材２２ａに掛けまわされて下方へ導かれる。そして、図示例によれば、一方の紐状部材２３ｂの先端部が、収納ユニット３０の下端側において左端側の手前側に止着され、他方の紐状部材２４ｂの先端部が、同収納ユニット３０の下端側において左端側の奥側に止着される。
【００３９】
また、図５に示す昇降式天井裏収納装置２においても、上記昇降式天井裏収納装置１と略同様にして、収納ユニット３０と図示しない天井裏との間に、上述したガイド装置４０（又は４０’）が設けられる。
【００４０】
而して、図５に示す昇降式天井裏収納装置２によれば、単一の巻取軸１２’により、複数の紐状部材２３ａ，２４ａ，２３ｂ，２４ｂが巻き取られたり繰り出されたりし、その巻取り繰り出し動作に伴い収納ユニット３０が昇降動作することになる。
この昇降の際、収納ユニット３０は、下端側を複数の紐状部材２３ａ，２４ａ，２３ｂ，２４ｂにより吊持されながら、上端側を図示しないガイド装置４０（又は４０’）により案内されるため、水平方向への揺れが効果的に抑制されることになる。
【００４１】
また、上記実施の形態によれば、巻取軸１２（または１２’）を収納ユニット３０の幅方向へわたらせたが、他例としては、図６に示す昇降式天井裏収納装置３のように、巻取軸１２”を、収納ユニット３０の奥行き方向（換言すれば幅方向に交差する方向）わたらせるようにしてもよい。
【００４２】
より詳細に説明すれば、図６の態様は、図３に示す態様に対し、滑車部材２１ａ，２２ａの軸方向、及び軸本体１２ａ”の軸方向の変更した構成としている。
滑車部材２１ａ，２２ａの各々は、その軸方向が収納ユニット３０の奥行き方向となるように配置され、回動自在に支持されている。
同様に、軸本体１２ａ”も、その軸方向が収納ユニット３０の奥行き方向となるように配置され、回動自在に支持されている。そして、この軸本体１２ａ”の一端側には、巻取体１２ｂ１及び１２ｂ２が固定される。その一方の巻取体１２ｂ１には滑車部材２１ａを介して導かれた紐状部材２１が巻かれ、他方の巻取体１２ｂ２には滑車部材２２ａを介して導かれた紐状部材２２が巻かれる。
また、軸本体１２ａ”の他端側には、図２に示す態様と同様にして、巻取装置１０（図示せず）が設けられている。
【００４３】
而して、図６に示す昇降式天井裏収納装置３によれば、収納ユニット３０の幅方向に交差する巻取軸１２”により、紐状部材２１，２２が巻き取られたり繰り出されたりし、その巻取り繰り出し動作に伴い収納ユニット３０が昇降動作することになる。この昇降式天井裏収納装置３は、特に天井裏空間Ｓの幅方向スペースが制限されている現場等において、有効に用いられる。
【００４４】
なお、図５や図６に示す態様においても、複数の滑車部材（２１ａ，２２ａ）の内の一部を省き、対応する一部の紐状部材を巻取体から直接下方へ繰り出すようにすることが可能である。
【図面の簡単な説明】
【００４５】
【図１】本発明に係る昇降式天井裏収納装置の一例を示す正面図であり、奥側の紐状部材を省略して示している。
【図２】同昇降式天井裏収納装置を示す側面図である。
【図３】同昇降式天井裏収納装置を模式的に示す要部斜視図である。
【図４】ガイド装置の他例を示す要部斜視図である。
【図５】本発明に係る昇降式天井裏収納装置の他例を示す要部斜視図である。
【図６】本発明に係る昇降式天井裏収納装置の他例を示す要部斜視図である。
【符号の説明】
【００４６】
１０：巻取装置                        １２：巻取軸
２１，２２：紐状部材                  ３０：収納ユニット
３１，３２，３３，３４：滑車部材      ４０：ガイド装置
４１：移動体                          ４２：ガイドレール
【図１】
2009079358.tif 000003
【図２】
2009079358.tif 000004
【図３】
2009079358.tif 000005
【図４】
2009079358.tif 000006
【図５】
2009079358.tif 000007
【図６】
2009079358.tif 000008